(57)【要約】【課題】口腔内の各歯牙のうちの所望の部位の歯牙のレントゲン画像を簡単に（ワンクリックで）表示させることができる歯科診療支援装置を提供する。【解決手段】口腔内の各歯牙がイラスト（アイコン）で表示された口腔即時表示エリア１４５を有する口腔即時表示画面１４０をモニタ装置に表示させる。一方、各患者の歯牙のレントゲン画像は、患者識別情報及び歯牙の部位に関連づけて画像データベースにて管理されている。ここで、前記口腔即時表示エリア１４５内の所望の歯牙の部位を示すアイコンをクリックすると、ビューワソフトが起動して画像表示画面１５０を表示させ、患者識別情報及びアイコンが示す歯牙の部位に基づいて該当患者の対応する部位のレントゲン画像を前記画像データベースから取得し、この取得したレントゲン画像を前記画像表示画面１５０に表示させる。【選択図】      図１６
2005196662.tif 000002
【特許請求の範囲】
【請求項１】
口腔内の部位情報がイラスト（アイコン）で表示された口腔即時表示画面を表示手段に表示させる第１の表示制御手段と、
各患者の部位情報に対応する画像を患者識別情報及び前記部位情報に関連づけて管理する画像データベースと、
前記口腔即時画面内の所望の部位を示すアイコンが選択実行されると、患者識別情報及びアイコンが示す部位に基づいて該当患者の対応する部位の画像を前記画像データベースから取得し、この取得した画像を前記表示手段に表示させる第２の表示制御手段と、
を備えたことを特徴とする歯科診療支援装置。
【請求項２】
前記第２の表示制御手段は、前記アイコンが選択実行されると、前記画像を表示させるためのビューワソフトを起動させ、前記口腔即時表示画面とは別ウインドウの画像表示画面を開き、前記取得した画像を前記画像表示画面に表示させることを特徴とする請求項１に記載の歯科診療支援装置。
【請求項３】
口腔内の部位に関連しない画像を表示させるための指示を行う指示手段を更に備え、
前記画像データベースは、各患者の前記部位に関連しない画像を患者識別情報に関連づけて管理し、
前記第２の表示制御手段は、前記指示手段によって部位に関連しない画像の表示が指示されると、患者識別情報に基づいて該当患者の部位に関連しない画像を前記画像データベースから取得し、この取得した部位に関連しない画像を前記表示手段に表示させることを特徴とする請求項１に記載の歯科診療支援装置。
【請求項４】
前記第２の表示制御手段は、前記指示手段によって部位に関連しない画像の表示が指示されると、前記部位に関連しない画像を表示させるためのビューワソフトを起動させ、前記口腔即時表示画面とは別ウインドウの画像表示画面を開き、前記取得した部位に関連しない画像を前記画像表示画面に表示させることを特徴とする請求項３に記載の歯科診療支援装置。
【発明の詳細な説明】
【技術分野】
【０００１】
本発明は歯科診療支援装置に係り、特に所望の部位の歯牙のレントゲン画像を表示させる技術に関する。
【背景技術】
【０００２】
従来、歯科治療に先立ち、口腔内画像やレントゲン画像をパーソナルコンピュータに入力しておき、ディスプレイ画面に上記画像を表示して患者に見せながら、予め記憶されている過去の治療例と対応させて治療のシュミレーションを行ない、その結果に基づいて歯科治療指針書をプリント出力する歯科治療指針書の作成方法が提案されている（特許文献１）。
【０００３】
また、イラストで表示されている口腔内の各歯のうちの処理の対象部位に、歯科の処置が描画された処置画像（色彩や形状によって処置が視認できる画像）を表示させ、この処置画像が表示された部位をクリックすることにより、その処置の慣用処置名を表示させたり、慣用処置名を電子化されたカルテ（以下「カルテ」という）に記録するようにした歯科医療事務装置が提案されている（特許文献２）。
【特許文献１】特開平９−７０４１０号公報
【特許文献２】特開２００２−２４３８７号公報
【発明の開示】
【発明が解決しようとする課題】
【０００４】
しかしながら、特許文献１に記載のものは、一人の患者に対して歯牙の部位や治療時期等が異なる多くのレントゲン画像がパーソナルコンピュータに入力されている場合には、これらのレントゲン画像の中から患者に見せるレントゲン画像を目視によって選択しなければならず、煩雑であるという問題がある。
【０００５】
また、特許文献１に記載のものは、口腔内の処置画像が表示された部位をクリックすることにより、その処置の慣用処置名を表示させることができるが、その部位のレントゲン画像を表示させることができないという問題がある。
【０００６】
本発明はこのような事情に鑑みてなされたもので、口腔内の各歯牙のうちの所望の部位の歯牙のレントゲン画像を簡単に（ワンクリックで）表示させることができる歯科診療支援装置を提供することを目的とする。
【課題を解決するための手段】
【０００７】
前記目的を達成するために請求項１に係る歯科診療支援装置は、口腔内の部位情報がイラスト（アイコン）で表示された口腔即時表示画面を表示手段に表示させる第１の表示制御手段と、各患者の部位情報に対応する画像を患者識別情報及び前記部位情報に関連づけて管理する画像データベースと、前記口腔即時表示画面内の所望の部位を示すアイコンが選択実行されると、患者識別情報及びアイコンが示す部位に基づいて該当患者の対応する部位の画像を前記画像データベースから取得し、この取得した画像を前記表示手段に表示させる第２の表示制御手段と、を備えたことを特徴としている。
【０００８】
即ち、口腔即時表示画面上に表示されている口腔内の各歯牙を示すイラスト（アイコン）のうちの所望の部位のアイコンを選択実行すると（例えば、所望の部位のアイコンにカーソルを合わせてクリックすると）、画像データベースによって各患者ごとに管理されている画像のうちの該当する部位の画像を検索し、その検索した画像を画像データベースから取得して表示手段に表示させるようにしている。これにより、所望の部位の画像を簡単に（ワンクリックで）表示させることができる。
【０００９】
請求項２に示すように請求項１に記載の歯科診療支援装置において、前記第２の表示制御手段は、前記アイコンが選択実行されると、前記画像を表示させるためのビューワソフトを起動させ、前記口腔即時表示画面とは別ウインドウの画像表示画面を開き、前記取得した画像を前記画像表示画面に表示させることを特徴としている。
【００１０】
請求項３に示すように請求項１に記載の歯科診療支援装置において、口腔内の部位に関連しない画像を表示させるための指示を行う指示手段を更に備え、前記画像データベースは、各患者の前記部位に関連しない画像を患者識別情報に関連づけて管理し、前記第２の表示制御手段は、前記指示手段によって部位に関連しない画像の表示が指示されると、患者識別情報に基づいて該当患者の部位に関連しない画像を前記画像データベースから取得し、この取得した部位に関連しない画像を前記表示手段に表示させることを特徴としている。
【００１１】
即ち、口腔内の部位に関連しない画像としては、パノラマレントゲン撮影装置によって撮影された歯列を示すパノラマ画像や、ＣＣＤカメラやデジタルカメラで撮影した口腔内の画像などがあるが、これらの画像を表示手段に表示させる場合には、前記指示手段によって部位に関連しない画像の表示を指示するだけで、該当患者の部位に関連しない画像を画像データベースから取得して表示させることができる。また、本発明に係る歯科診療支援装置をカルテ作成装置と連携させることにより、部位に対応する画像や、部位に関連しないパノラマ画像等を見ながらカルテ入力が可能となり、パノラマ画像を見ることで欠損部位、残根等の確認ができ部位の入力ミスを防ぐことができる。
【００１２】
請求項４に示すように請求項３に記載の歯科診療支援装置において、前記第２の表示制御手段は、前記指示手段によって部位に関連しない画像の表示が指示されると、前記部位に関連しない画像を表示させるためのビューワソフトを起動させ、前記口腔即時表示画面とは別ウインドウの画像表示画面を開き、前記取得した部位に関連しない画像を前記画像表示画面に表示させることを特徴としている。
【発明の効果】
【００１３】
本発明によれば、口腔即時表示画面上に表示されている口腔内の各歯牙を示すイラスト（アイコン）、即ち、各歯牙の部位に関連づけて各患者ごとのレントゲン画像を画像データベースで管理し、所望の歯牙の部位を示すアイコンを選択実行することにより、前記画像データベースから対応するレントゲン画像を取得して表示するようにしたため、所望の部位の歯牙のレントゲン画像を簡単に（ワンクリックで）表示させることができる。また、歯列のレントゲン画像を示すパノラマ画像も簡単に表示させることができる。
【発明を実施するための最良の形態】
【００１４】
以下添付図面に従って本発明に係る歯科診療支援装置の好ましい実施の形態について詳説する。
【００１５】
［歯科診療支援装置を含む院内総合ＬＡＮシステムの構成］
図１は本発明に係る歯科診療支援装置を含む院内総合ＬＡＮシステムの構成の実施の形態を示すシステム図であり、特に歯科用の院内総合ＬＡＮシステムに関して示している。
【００１６】
同図に示すように、このシステムは、主として受付に設置されたカルテ管理サーバ１０と、レントゲン室に設けられた歯牙のレントゲン撮影を行うレントゲン撮影装置２０及び歯列のパノラマレントゲン撮影を行うレントゲン撮影装置２２と、これらのレントゲン撮影装置２０、２２からデジタルレントゲン画像を取り込んで管理する画像管理サーバ３０と、診療室の歯科用チェアーユニットに設置されたドクター端末４０、４２、４４と、カウンセリング室（院長室）に設置された表示端末５０とがＬＡＮ６０にて接続されて構成されている。
【００１７】
また、図示は省略したが、上記システムに口腔内写真を撮影するＣＣＤカメラかつ／または患者の顔やあごの外形の画像を撮影するデジタルカメラを適宜追加してＬＡＮ６０に接続してもよい。
【００１８】
尚、ドクター端末４０は、歯科用チェアーユニットのアームに取り付けられた液晶モニタを有し、ペンにてカルテ入力が可能なパーソナルピュータ（ＰＣ）であり、ドクター端末４２はノート型ＰＣであり、ドクター端末４４はデスクトップ型ＰＣである。
【００１９】
カルテ管理サーバ１０は、主にスタッフによって使用されるもので、データベース・サーバとしての機能を有し、図２に示すようにデータベース１２により各患者ごとのカルテへの記述内容（処置データ等）が保存される処置ファイルを管理する処置テーブルの他、後述するアイコンライン画像管理テーブル、ドクターメモファイル、摘要マスタ、部位ブロックテーブル等を患者識別情報（患者コード）に関連づけて管理している。
【００２０】
画像管理サーバ３０は、画像データベース・サーバとしての機能を有し、図２に示すように画像データベース３２により各患者ごとのデジタルレントゲン画像を患者コードに関連づけて管理している。即ち、レントゲン撮影装置２０、２２から取得したデジタルレントゲン画像の画像ファイルは、患者コード、撮影日などの付属情報が付加され、画像格納フォルダ内の患者コードに対応する患者フォルダに格納される。
【００２１】
ドクター端末４０、４２、４４は、ドクターが診療室にてカルテ入力等を行うために使用され、表示端末５０は、院長又は担当ドクターがカウンセリング室にて患者に対して処置や治療に必要な情報を提供する際に使用される。
【００２２】
上記カルテ管理サーバ１０及び画像管理サーバ３０で管理されている処置データ、デジタルレントゲン画像等の情報は、カルテ管理サーバ１０、画像管理サーバ３０、ドクター端末４０、４２、４４、表示端末５０の間でＬＡＮ６０を通じて共有できるようになっている。
【００２３】
次に、上記カルテ管理サーバ１０、画像管理サーバ３０、ドクター端末４０、４２、４４及び表示端末５０のハードウエア構成について説明する。尚、これらのハードウエア構成はほぼ同様のため、以下、ドクター端末４０のハードウエア構成について説明する。
【００２４】
図３に示すようにドクター端末４０は、主として各構成要素の動作を制御する中央処理装置（ＣＰＵ）７０と、装置の制御プログラムが格納されたり、プログラム実行時の作業領域となる主メモリ７２と、パソコンのオペレーティングシステム（ＯＳ）、本発明に係る歯科診療支援プログラム、デジタルレントゲン画像、デジタルカメラで撮影された口腔画像などを閲覧するためのビューワソフト、各種のアプリケーションソフト等が格納されるハードディスク装置７４、表示用データを一時記憶する表示メモリ７６と、この表示メモリ７６からの画像データ、文字データ等により画像や文字等を表示するＣＲＴモニタや液晶モニタ等のモニタ装置７８と、キーボード８０と、位置入力装置としてのマウス８２と、マウス８２の状態を検出してモニタ装置７８上のマウスポインタの位置やマウス８２の状態等の信号をＣＰＵ７０に出力するマウスコントローラ８４と、ＬＡＮ６０を介して画像やカルテへの記載に必要な情報を送受信する通信インターフェース８６と、上記各構成要素を接続するバス８８とから構成されている。
【００２５】
尚、上記構成のうちのハードディスク装置７４に格納される歯科診療支援プログラムを除いて周知のものであるため、各構成要素の詳細な説明については省略する。
【００２６】
［歯科診療支援プログラム］
次に、歯科診療支援プログラムの概略について説明する。
【００２７】
この歯科診療支援プログラムは、まず、紙カルテと同じカルテ入力画面をモニタ装置に表示させる。尚、歯科のカルテの場合、保険証の内容、病名等が記入される最初のページの１号用紙と、歯の部位や診療行為が記入される２ページ以降の２号用紙とがあるが、２号用紙の紙カルテと同じカルテ入力画面をモニタ装置に表示させる。そして、カルテ入力後にカルテ印刷を実行させると、紙ベースの正規のカルテをプリント出力させる。特に、この歯科診療支援プログラムは、以下の５つの特徴を有している。
【００２８】
（１）アイコンライン
カルテに記載不要項目をカルテ上のアイコンライン（詳しくは後述する）上にアイコンで表示し、アイコンで表現された内容は紙カルテには印刷しない。また、デジタルレントゲン画像と療法・処置とのリンクをアイコンで表示する。
【００２９】
アイコンラインに表示されるアイコンには、以下の５つのアイコンがある
(a)画像アイコン  
アイコンをクリックすることで撮影したレントゲン画像、口腔内写真又は患者の外形の画像 (以下「 デジタルレントゲン画像等」という）を表示する。
【００３０】
(b)病名アイコン
診療報酬明細書（レセプト）請求のために必要な病名をアイコンで表示する。
【００３１】
(c)自費アイコン
保険診療分とは別記載となっている自費診療分の情報をアイコンにて表示する。自費アイコンをクリックすることで自費診療分の情報を確認することができる。
【００３２】
(d)摘要アイコン
カルテには記載不要だがレセプトには必須の摘要をアイコンで表示する。摘要アイコンをクリックすることで摘要を確認することができる。
【００３３】
(e)メモアイコン
カルテには記載しないドクターメモをアイコンにて表示する。メモアイコンをクリックすることでメモを確認することができる。
【００３４】
（２）部位と該当デジタルレントゲン画像のリンク
口腔即時表示エリア内の該当の部位をクリックすることで、その部位に対応したデジタルレントゲン画像等を表示する。
【００３５】
療法・処置に伴うレントゲン画像等を部位ごとに表示し、部位の経過が確認できる。レントゲン画像を見ながらカルテ入力が可能となる。
【００３６】
（３）該当患者のパノラマ画像等表示
口腔即時表示画面内の画像ボタンをクリックすることで、その患者のパノラマ画像を表示する。パノラマ画像を見ながらカルテ入力が可能となる。撮影したパノラマ画像を見ることで欠損部位、残根等の確認ができ部位の入力ミスを防ぐことができる。
【００３７】
（４）カルテ画面の縮小／拡大表示
カルテのサイズを小画面，中画面、大画面の３段階で変更可能にする。
【００３８】
（５）２つの入力方式
ドクターが入力するカルテ入力方式と、受付窓口でスタッフが入力する診療入力方式（レセプト請求および会計のための入力）との２つの入力方式を搭載している。端末毎にドクターの入力端末、スタッフの入力端末で分けることができる。また、１端末で２つの入力方式の画面を切り替えて使用することも可能である。
【００３９】
［カルテ入力画面］
図４はカルテ入力画面の実施の形態を示す図である。
【００４０】
図４に示すようにカルテ入力画面は、タイトル・バー１００と、カルテ表示エリア１１０と、ボタンエリア１２０と、患者情報エリア１３０と、ファンクション・キーエリア１３２を有している。また、図４に示すカルテ入力画面には、別ウインドウで口腔即時表示画面１４０が表示されている。
【００４１】
タイトル・バー１００には、「窓口業務: 患者コード  患者名 (バージョン) 」例）窓口業務:0000000001 日立  太郎(V13-01/03) が表示される。
【００４２】
カルテ表示エリア１１０には、日付欄１１１、部位欄１１２、アイコンライン１１３、療法・処置欄１１４、点数欄１１５、負担金額欄１１６が設けられている。このカルテ表示エリア１１０のカルテ表示は、アイコンライン１１３を除いて歯科の２号用紙と同じフォーマットになっている。ここで、アイコンライン１１３とは、カルテの各行ごとに設けられたアイコンを貼り付けるための領域であって、カルテの上下方向に連続している一列の領域をいう。
【００４３】
このカルテ入力画面上で患者コードを入力すると、カルテ管理サーバ１０のデータベース１２から該当患者の処置ファイル等を読み出し、カルテ表示エリア１１０等にカルテの内容が表示される。
【００４４】
ボタンエリア１２０には、カルテのページを前ページ、次ページに移動させる「↑」「↓」ボタン、「戻る」ボタン、「添付領域指定」ボタン、「誘導」ボタン、「算定可能絞込」ボタン、「通常画面」ボタン、「チェック表示」ボタン、「再編成」ボタン、「メモ送信」ボタン、「口腔即時表示」ボタン、「取消」ボタン、「確定」ボタン、「拡大」ボタン、「縮小」ボタン、「処置担当表示」チェックボックス、「レセプト」ボタン、「カルテ」ボタン、及び「カルテ印刷」ボタンの各種のソフトボタンが縦に配列されている。
【００４５】
患者情報エリア１３０には、選択患者「患者コード／患者名／年齢」、保険情報「主保険・福祉」、担当医、初診日、最終日の情報が表示される。
【００４６】
ファンクション・キーエリア１３２には、キーボードのファンクション・キー（Ｆ１〜Ｆ１２）に対応するボタンが表示されている。即ち、「取消」キー(F) 、「切替」キー(F2)１３４、「対象部位」キー(F3)、「選択」キー(F4)、「追加」キー(F5)、「変更」キー(F6)、「削除」キー(F7)、…、「確定」キー(F12) が表示される。
【００４７】
［アイコンライン］
次に、上記カルテ入力画面のアイコンライン１１３に、図５（Ａ）乃至（Ｄ）に示す画像アイコン１１３Ａ、病名アイコン１１３Ｂ、自費アイコン１１３Ｃ、摘要アイコン１１３Ｄ、及びメモアイコン１１３Ｅを登録する場合について説明する。
【００４８】
〈画像アイコン〉
上記カルテ入力画面において、デジタルレントゲン画像等のデジタル画像をアイコン化し、アイコンライン１１３の該当する行に貼り付ける場合について説明する。
【００４９】
図６（Ａ）に示すように、まず画像アイコン１１３Ａを貼り付けるアイコンライン１１３の該当する行をカーソルを移動させ、マウスの右ボタンを押下すると、図６（Ｂ）に示すようにポップアップ画面１１７が表示される。このポップアップ画面１１７には、「レセプト摘要表示画面」、「メモ表示画面」、「自費表示画面」、「画像表示画面」、及び「閉じる」のメニューが表示されている。
【００５０】
ここで、「画面表示画面」を選択すると、ビューワソフトが起動し、現在開いているカルテの患者コードに基づいて画像管理サーバ３０の画像データベース３２から該当患者のデジタルレントゲン画像等が読み出され、その画像の一覧がカルテ入力画面上の別ウインドウの画像表示画面１５０が表示される。
【００５１】
図６（Ｃ）に示すように、画像表示画面１５０に表示された画像の一覧から所望の画像をアイコンライン１１３の該当する行にドラッグ＆ドロップすることにより、その画像とリンクした画像アイコン１１３Ａが貼り付けられる。尚、マウスによるドラッグ＆ドロップの操作に限らず、所望の画像の選択と登録実行の指示入力により画像アイコン１１３Ａをアイコンライン１１３の該当する行に貼り付けることもできる。また、複数の画像の選択も可能である。
【００５２】
この画像アイコン１１３Ａの貼り付けの操作により、カルテ管理サーバ１０は、カルテ入力画面上の画像アイコン１１３Ａとリンクさせて患者の画像の画像ファイル名等をアイコンライン画像管理テーブルに登録する（図２参照）。
【００５３】
上記のようにして画像アイコン１１３Ａをアイコンライン１１３に貼り付けておくと、その後、その画像アイコン１１３Ａをデジタルレントゲン画像がどのような画像かを確認したい場合に、直ちに確認することができる。
【００５４】
即ち、図７（Ａ）に示すように、確認したい日の画像アイコン１１３Ａをクリックすると、ビューワソフトが起動し、また、その画像アイコン１１３Ａにリンクした患者の画像ファイル名がカルテ管理サーバ１０のアイコンライン画像管理テーブルから読み出される。そして、患者コード、画像ファイル名を基に画像管理サーバ３０の画像データベース３２から該当患者のデジタルレントゲン画像等が読み出され、図７（Ｂ）に示すように画像表示画面１５０に表示される。
【００５５】
〈病名アイコン〉
病名をアイコン化し、アイコンライン１１３の該当する行に貼り付ける場合について説明する。
【００５６】
病名は部位と関連しているため、部位入力画面にて同時に病名の入力ができるようになっている。
【００５７】
即ち、カルテ表示エリア１１０の部位欄１１２をクリックすると、図８（Ａ）に示すように部位入力画面１５１が起動する。この部位入力欄１５１は、部位入力欄１５１Ａと病名入力欄１５１Ｂとを有している。この病名入力欄１５１上で病名を入力すると、その病名はアイコン化され、図８（Ｂ）に示すように部位欄１１２の隣のアイコンライン１１３の行に病名アイコン１１３Ｂが貼り付けられる。
【００５８】
この病名アイコン１１３Ｂの貼り付けの操作により、カルテ管理サーバ１０は、カルテ入力画面上の病名アイコン１１３Ｂをリンクさせて病名の情報を部位ブロックテーブルに部位の情報とともに登録する。
【００５９】
図９（Ａ）に示すように、上記のようにして登録された病名アイコン１１３Ｂをクリックすると、図９（Ｂ）に示すように病名入力欄１５１Ｂが表示され、ここに病名が表示される。
【００６０】
尚、療法・処置欄１１４に病名を記入すると、紙カルテ（２号用紙）に病名が印刷されてしまうが、２号用紙には病名を記入しないことになっている。上記のように病名をアイコン化することで、病名を印刷しないようにすることができ、その一方、アイコン化された病名の情報をレセプトに利用することができる。
【００６１】
〈自費アイコン〉
自費診療分の情報をアイコン化し、アイコンライン１１３の該当する行に貼り付ける場合について説明する。
【００６２】
図１０（Ａ）に示すように、まず自費アイコンを貼り付けるアイコンライン１１３の該当する行をカーソルを移動させ、マウスの右ボタンを押下すると、図１０（Ｂ）に示すようにポップアップ画面１１７が表示される。このポップアップ画面１１７上で、「自費表示画面」を選択すると、図１０（Ｃ）に示すようにカルテ入力画面上に別ウインドウの自費表示画面１５２が表示される。
【００６３】
この自費表示画面１５２上の自費欄に必要事項（例えば、上顎金属床、下顎金属床等）を記入し、自費表示画面１５２の「確定」ボタン１５２Ａを押下すると、自費表示画面１５２が閉じ、また、自費診療分の情報は、自費アイコン１１３Ｃとしてアイコンライン１１３の該当する行に貼り付けられる。
【００６４】
この自費アイコン１１３Ｃの貼り付けの操作により、カルテ管理サーバ１０は、カルテ入力画面上の自費アイコン１１３Ｃとリンクさせて自費診療分の情報を自費マスタに登録する。
【００６５】
図１１（Ａ）に示すように、上記のようにして登録された自費アイコン１１３Ｃをクリックすると、図１１（Ｂ）に示すように自費表示画面１５２が表示され、ここに自費診療分の情報が表示される。
【００６６】
尚、自費診療分は、保険診療分のカルテとは別に記載しなければならないが、上記のようにアイコン化することで、自費診療分を紙カルテに印刷しないようにすることができる。
【００６７】
〈摘要アイコン〉
カルテには記載不要だが、レセプトには必須の摘要の情報をアイコン化し、アイコンライン１１３の該当する行に貼り付ける場合について説明する。
【００６８】
図１２（Ａ）に示すように、まず摘要アイコンを貼り付けるアイコンライン１１３の該当する行をカーソルを移動させ、マウスの右ボタンを押下すると、図１２（Ｂ）に示すようにポップアップ画面１１７が表示される。このポップアップ画面１１７上で、「レセプト摘要表示画面」を選択すると、図１２（Ｃ）に示すようにカルテ入力画面上に別ウインドウのレセプト摘要表示画面１５３が表示される。
【００６９】
このレセプト摘要表示画面１５３上の摘要欄に必要事項（例えば、一日二度来院等）を記入し、レセプト摘要表示画面１５３の「確定」ボタン１５３Ａを押下すると、レセプト摘要表示画面１５３が閉じ、また、摘要の情報は、摘要アイコン１１３Ｄとしてアイコンライン１１３の該当する行に貼り付けられる。
【００７０】
この摘要アイコン１１３Ｄの貼り付けの操作により、カルテ管理サーバ１０は、カルテ入力画面上の摘要アイコン１１３Ｄとリンクさせて摘要の情報を摘要マスタに登録する。
【００７１】
図１３（Ａ）に示すように、上記のようにして登録された摘要アイコン１１３Ｄをクリックすると、図１３（Ｂ）に示すようにレセプト摘要表示画面１５３が表示され、ここに摘要の情報が表示される。
【００７２】
尚、摘要は、カルテには記載不要だが、レセプト請求には必要であり、レセプトの作成に利用することができる。
【００７３】
〈メモアイコン〉
カルテには記載しないドクターメモをアイコン化し、アイコンライン１１３の該当する行に貼り付ける場合について説明する。
【００７４】
図１４（Ａ）に示すように、まずメモアイコンを貼り付けるアイコンライン１１３の該当する行をカーソルを移動させ、マウスの右ボタンを押下すると、図１４（Ｂ）に示すようにポップアップ画面１１７が表示される。このポップアップ画面１１７上で、「メモ表示画面」を選択すると、図１４（Ｃ）に示すようにカルテ入力画面上に別ウインドウのメモ表示画面１５４が表示される。
【００７５】
このメモ表示画面１５４上のデータ入力欄にドクターメモ（コメント）を記入して確定させると、メモ表示画面１５４が閉じ、また、ドクターメモの情報は、メモアイコン１１３Ｅとしてアイコンライン１１３の該当する行に貼り付けられる。
【００７６】
このメモアイコン１１３Ｅの貼り付けの操作により、カルテ管理サーバ１０は、カルテ入力画面上のメモアイコン１１３Ｅとリンクさせてドクターメモの情報をドクターメモファイルに登録する。
【００７７】
図１５（Ａ）に示すように、上記のようにして登録されたメモアイコン１１３Ｅをクリックすると、図１５（Ｂ）に示すようにメモ表示画面１５４が表示され、ここにドクターメモの情報が表示される。
【００７８】
尚、この実施の形態では、アイコンライン１１３の１行の欄に１つのアイコンを貼り付ける場合について説明したが、１行の欄に種類の異なる複数のアイコンを貼り付けることができる。また、アイコンライン１１３に登録されたアイコンは、アイコンライン１１３の任意の行に移動させることもできる。
【００７９】
［部位と該当デジタルレントゲン画像等のリンク］
まず、カルテ入力画面に別ウインドウで表示される口腔即時表示画面１４０について説明する。
【００８０】
図４に示すように口腔即時表示画面１４０は、タイトル・バー１４１と、「画像」ボタン１４２と、「 凡例」ボタン１４３と、「乳歯／永久歯」ボタン１４４と、口腔即時表示エリア１４５とを有している。尚、タイトル・バー１４１には、「口腔即時表示」が表示されており、「最小化」ボタン、「元のサイズに戻す」ボタン、「閉じる」ボタンが設けられている。また、口腔即時表示画面１４０が閉じられているときに、カルテ入力画面のボタンエリア１２０中の「口腔表示」ボタンを押下すると、カルテ入力画面上に口腔即時表示画面１４０を表示させることができる。
【００８１】
「画像」ボタン１４２は、該当患者のパノラマ画像を表示させるためのボタンである。このパノラマ画像表示の詳細については後述する。また、「 凡例」ボタン１４３は、ヘルプ画面を表示させるためのボタンであり、「乳歯／永久歯」ボタン１４４は、口腔即時表示エリア１４５の歯列のイラスト表示を永久歯の表示から乳歯の表示に切り替え、又は乳歯の表示から永久歯の表示に切り替えるためのボタンである。尚、永久歯表示中には「乳歯」と表示され、乳歯表示中には「永久歯」と表示される。
【００８２】
口腔即時表示エリア１４５には、前述したように歯列のイラスト（部位）が表示されており、イラストで示された部位は、後述するように対応する歯牙のレントゲン画像を表示させるためのアイコンとして機能する。また、レントゲン画像が存在する部位は、治療歴のない部位とは色分けされ、または濃淡が付けられており、両者を区別できるようになっている。
【００８３】
次に、口腔即時表示エリア１４５に示された所望の部位に対応するレントゲン画像を表示させる機能について説明する。
【００８４】
図１６（Ａ）に示すように、口腔即時表示エリア１４５に示された所望の部位にカーソルを移動させてクリックする。これにより、ビューワソフトが起動し、また、クリックされた指定された部位の情報を基にその部位にリンクした該当患者の同部位のレントゲン画像を画像管理サーバ３０の画像データベース３２から取得し、図１６（Ｂ）に示すように画像表示画面１５０に表示する。
【００８５】
尚、画像管理サーバ３０の画像データベース３２に登録された画像ファイルは、画像データベース３２への登録時等に入力された患者コード、部位、撮影日、画像の属性などの情報に基づいて検索できるようになっている。
【００８６】
図１６（Ｂ）に示した実施の形態では、該当部位の１つのレントゲン画像が画像表示画面１５０に表示されているが、該当部位のレントゲン画像が複数存在する場合には、複数のレントゲン画像が撮影日順に画像表示画面１５０に表示される。
【００８７】
これにより、処理に伴うレントゲン画像を部位ごとに表示することができ、部位の経過も容易に確認することができる。
【００８８】
［該当患者のパノラマ画像表示］
次に、レントゲン撮影装置２２によって撮影された歯列のパノラマ画像を表示させる機能について説明する。
【００８９】
図１７（Ａ）に示すように、口腔即時表示画面１４０内の「画像」ボタン１４２を押下すると、ビューワソフトが起動し、また、「画像」ボタン１４２の押下に対応して「パノラマ」の画像の属性を有する、該当患者の歯列を示すパノラマ画像を画像管理サーバ３０の画像データベース３２から取得する。そして、図１７（Ｂ）に示すように、画像データベース３２から取得したパノラマ画像を画像表示画面１５０に表示する。
【００９０】
このようにワンクリックで、患者のパノラマ画像を直ちに検索して表示することができ、パノラマ画像を見ながらカルテ入力が可能になる。また、パノラマ画像を見ながらカルテ入力が可能であり、撮影したパノラマ画像を見ることで欠損部位、残根等の確認ができ部位の入力ミスを防ぐことができる。
【００９１】
また、ここではパノラマ画像を例に挙げて説明したが、これに限らず、部位に関連しない画像としては、ＣＣＤカメラで撮影した口腔内写真又はデジタルカメラで撮影した患者の外形の画像としてもよい。これら各画像を治療前後に撮影しておけば患者のインフォームドコンセントに活用できる。
【００９２】
［カルテ画面の縮小／拡大表示］
図１８乃至図２０はそれぞれ小画面、中画面（標準画面）及び大画面のカルテ入力画面を示している。
【００９３】
歯科の紙カルテには、Ｂ５とＡ４の２種類のサイズがあり、Ｂ５の２号用紙は１ページが２４行で構成され、Ａ４の２号用紙は１ページが３２行で構成されている。同じ院内ではＢ５とＡ４のうちのいずれか一方のサイズのカルテを使用するため、カルテ入力画面内のカルテ表示エリア１１０に表示される２号用紙をそのまま入力画面化したカルテは、その院内で使用する紙カルテと同じサイズのものにカスタマイズされている。尚、この実施の形態では、Ｂ５の紙カルテに適合するようにカスタマイズされている。
【００９４】
図１８乃至図２０に示すように、拡大／縮小される画面は、カルテ表示エリア１１０だけであり、カルテ入力画面を構成する他のタイトル・バー１００、ボタンエリア１２０、及び患者情報エリア１３０のサイズは変動しないようになっている。
【００９５】
また、ボタンエリア１２０及び患者情報エリア１３０は、カルテ表示エリア１１０が拡大するにしたがって画面左側に移動し、図２０に示すように大画面時には患者情報エリア１３０はカルテ入力画面から削除される。
【００９６】
更に、大画面時に削除された患者情報エリア１３０に表示されていた患者情報のうちの一部（この実施の形態では、年齢と保険情報）は、図２０に示すようにタイトル・バー１００にて表示される。尚、タイトル・バー１００にはもともと患者情報のうちの患者コードと患者名が表示されているが、大画面時に患者情報の一部が追加されることになる。
【００９７】
また、小画面、中画面及び大画面時の患者情報エリア１３０の拡大縮小比率は、８０／９０、１００／１００及び１２０／９０であり、特に小画面時にはカルテ１ページ分が納まるようになっている。
【００９８】
上記小画面、中画面及び大画面の３段階の変更は、ボタンエリア１２０内の「拡大」ボタン１２１、「縮小」ボタン１２２をクリックすることによって行うことができる。
【００９９】
図２１は上記「拡大」ボタン１２１、「縮小」ボタン１２２の操作によるカルテ画面（小、中、大画面）の画面遷移を示す図である。
【０１００】
同図に示すように、中画面（標準画面）時に「拡大」ボタン１２１、又は「縮小」ボタン１２２をクリックすると、中画面は大画面、又は小画面に遷移する。
【０１０１】
また、大画面時には「縮小」ボタン１２２のみクリックできるようになっており、「縮小」ボタン１２２をクリックすると中画面に遷移し、一方、小画面時には「拡大」ボタン１２１のみクリックできるようになっており、「拡大」ボタン１２１をクリックすると中画面に遷移する。
【０１０２】
［２つの入力方式］
図２２は現行の診療入力画面を示す図である。
【０１０３】
この診療入力画面では、スタッフによりレセプト請求、会計のための診療情報等が入力される。また、診療入力画面では、カルテに印字しない項目についても、テキストデータがそのまま表示される。即ち、カルテ入力画面で表示されているアイコンの「病名」及び「摘要」については、診療入力画面では文字情報として表示させる。
【０１０４】
また、診療入力画面のファンクション・キーエリア１６０には、カルテ入力画面と同様にキーボードのファンクション・キー（Ｆ１〜Ｆ１２）に対応するボタンが表示される。即ち、「取消」キー(F1)、「切替」キー(F2)１６２、「対象部位」キー(F3)、「選択」キー(F4)、「追加」キー(F5)、「変更」キー(F6)、「削除」キー(F7)、…、「患者終了」キー(F12) が表示される。
【０１０５】
そして、診療入力画面の「切替」キー１６２をクリックすると、図４に示したカルテ入力画面に切り替わり、同様にカルテ入力画面のファンクション・キーエリア１３５の「切替」キー１３４をクリックすると、診療入力画面に切り替わる。
【０１０６】
これにより、１つの端末でカルテ入力方式と診療入力方式の２つの方式を切り替えて使用することができる。
【０１０７】
尚、プログラムの起動時にいずれの入力画面を表示させるかは、そのプログラムの起動時の設定（デフォルト）により適宜決めることができる。受付窓口等でスタッフが使用する端末は、デフォルトで診療入力画面に設定し、診察室でドクターが使用する端末は、デフォルトでカルテ入力画面に設定するのが好ましい。
【０１０８】
また、この実施の形態では、カルテ管理サーバ１０が患者ごとのカルテへの記述内容等を管理し、画像管理サーバ３０が患者ごとのデジタルレントゲン画像等を管理するようにしたが、いずれか一方が両者の管理機能を具備するようにしてもよい。
【０１０９】
また、この実施の形態では、患者コードの入力をカルテ入力画面で入力したが、患者情報入力画面を別途作成し、その作成された患者情報入力画面に患者氏名、性別、生年月日などを入力してもよい。
【図面の簡単な説明】
【０１１０】
【図１】図１は本発明に係る歯科診療支援装置を含む院内総合ＬＡＮシステムの構成の実施の形態を示すシステム図である。
【図２】図２はデータベースで管理されたデジタルレントゲン画像とカルテのリンクを示す図である。
【図３】図３はドクター端末のハードウエア構成の一例を示す図である。
【図４】図４はカルテ入力画面の実施の形態を示す図である。
【図５】図５（Ａ）乃至（Ｄ）はそれぞれ画像アイコン、病名アイコン、自費アイコン、摘要アイコ及びメモアイコンの一例を示す図である。
【図６】図６（Ａ）乃至（Ｃ）は画像アイコンの登録時の操作を説明するために用いた図である。
【図７】図７（Ａ）及び（Ｂ）は登録された画像アイコンにリンクするレントゲン画像を表示させる操作を説明するために用いた図である。
【図８】図８（Ａ）及び（Ｂ）は病名アイコンの登録時の操作を説明するために用いた図である。
【図９】図９（Ａ）及び（Ｂ）は登録された病名アイコンにリンクする病名を表示させる操作を説明するために用いた図である。
【図１０】図１０（Ａ）乃至（Ｃ）は自費アイコンの登録時の操作を説明するために用いた図である。
【図１１】図１１（Ａ）及び（Ｂ）は登録された自費アイコンにリンクする自費表示画面を表示させる操作を説明するために用いた図である。
【図１２】図１２（Ａ）乃至（Ｃ）は摘要アイコンの登録時の操作を説明するために用いた図である。
【図１３】図１３（Ａ）及び（Ｂ）は登録された摘要アイコンにリンクするレセプト摘要画面を表示させる操作を説明するために用いた図である。
【図１４】図１４（Ａ）乃至（Ｃ）はメモアイコンの登録時の操作を説明するために用いた図である。
【図１５】図１５（Ａ）及び（Ｂ）は登録されたメモアイコンにリンクするメモ表示画面を表示させる操作を説明するために用いた図である。
【図１６】図１６（Ａ）及び（Ｂ）は歯牙の部位にリンクするレントゲン画像を表示させる操作を説明するために用いた図である。
【図１７】図１７（Ａ）及び（Ｂ）は歯列を示すパノラマ画像を表示させる操作を説明するために用いた図である。
【図１８】図１８はカルテ表示エリアが小画面の状態のカルテ入力画面を示す図である。
【図１９】図１９はカルテ表示エリアが中画面（標準画面）の状態のカルテ入力画面を示す図である。
【図２０】図２０はカルテ表示エリアが大画面の状態のカルテ入力画面を示す図である。
【図２１】図２１は「拡大」ボタン及び「縮小」ボタンの操作によるカルテ入力画面（小、中、大画面）の画面遷移を示す図である。
【図２２】図２２は現行の診療入力画面を示す図である。
【符号の説明】
【０１１１】
１０…カルテ管理サーバ、１２…データベース、２０、２２…レントゲン撮影装置、３０…画像管理サーバ、３２…画像データベース、４０、４２、４４…ドクター端末、５０…表示端末、６０…ＬＡＮ、１００…タイトル・バー、１１０…カルテ表示エリア、１１１…日付欄、１１２…部位欄、１１３…アイコンライン、１１３Ａ…画像アイコン、１１３Ｂ…病名アイコン、１１３Ｃ…自費アイコン、１１３Ｄ…摘要アイコン、１１３Ｅ…メモアイコン、１１４…療法・処置欄、１１５…点数欄、１１６…負担金額欄、１１７…ポップアップ画面、１２０…ボタンエリア、１２１…「拡大」ボタン、１２２…「縮小」ボタン、１３０…患者情報エリア、１３２、１６０…ファンクション・キーエリア、１３４、１６２…「切替」ボタン、１４０…口腔即時表示画面、１４２…「画像」ボタン、１４５…口腔即時表示エリア、１５０…画像表示画面、１５１…部位入力画面、１５２…自費表示画面、１５３…レセプト摘要表示画面、１５４…メモ表示画面
【図１】
2005196662.tif 000003
【図２】
2005196662.tif 000004
【図３】
2005196662.tif 000005
【図４】
2005196662.tif 000006
【図５】
2005196662.tif 000007
【図６】
2005196662.tif 000008
【図７】
2005196662.tif 000009
【図８】
2005196662.tif 000010
【図９】
2005196662.tif 000011
【図１０】
2005196662.tif 000012
【図１１】
2005196662.tif 000013
【図１２】
2005196662.tif 000014
【図１３】
2005196662.tif 000015
【図１４】
2005196662.tif 000016
【図１５】
2005196662.tif 000017
【図１６】
2005196662.tif 000018
【図１７】
2005196662.tif 000019
【図１８】
2005196662.tif 000020
【図１９】
2005196662.tif 000021
【図２０】
2005196662.tif 000022
【図２１】
2005196662.tif 000023
【図２２】
2005196662.tif 000024